Podtech/llm-jp-corpus-v4-ja_patent huggingface dataset:
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
リールと、
始動手段と、
前記始動手段の操作に基づいて前記リールの回転を開始させるリール制御手段と、
第一抽選を実行する第一抽選手段と、
第二抽選を実行する第二抽選手段と、
演出の実行を制御する演出制御手段と、
前記第一抽選手段による抽選結果に応じたコマンド及び前記第二抽選手段による抽選結果に応じたコマンドを前記演出制御手段に送信するための処理を行うコマンド送信手段と、を有し、
前記始動手段が操作されると、
第一抽選を実行して抽選結果に応じたコマンドを記憶し、
所定の条件を満たしているときは第二抽選を実行して抽選結果に応じたコマンドを記憶し、
前記コマンド送信手段は記憶されたコマンドを前記演出制御手段に送信するための処理を行い、
送信待ちの全てのコマンドに対して前記演出制御手段に送信するための処理が行われると、前記リール制御手段は前記リールの回転を開始可能に構成されていることを特徴とする遊技機。
【請求項２】
リールと、
始動手段と、
前記始動手段の操作に基づいて前記リールの回転を開始させるリール制御手段と、
第一抽選を実行する第一抽選手段と、
第二抽選を実行する第二抽選手段と、
演出の実行を制御する演出制御手段と、
前記第一抽選手段による抽選結果に応じたコマンド及び前記第二抽選手段による抽選結果に応じたコマンドを前記演出制御手段に送信するための処理を行うコマンド送信手段と、を有し、
前記始動手段が操作されると、
第一抽選を実行して抽選結果に応じたコマンドを記憶し、
所定の条件を満たしているときは第二抽選を実行して抽選結果に応じたコマンドを記憶し、
前記コマンド送信手段は記憶されたコマンドを前記演出制御手段に送信するための処理を行い、
送信待ちのコマンドに対し前記演出制御手段に送信するための処理を行うために定められた特定の時間が経過したか否かを判断し、前記特定の時間が経過したと判断すると、前記リール制御手段は前記リールの回転を開始可能に構成されていることを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、リールと、始動手段と、前記始動手段の操作に基づいて前記リールの回転を開始させるリール制御手段と、第一抽選を実行する第一抽選手段と、第二抽選を実行する第二抽選手段と、演出の実行を制御する演出制御手段と、前記第一抽選手段による抽選結果に応じたコマンド及び前記第二抽選手段による抽選結果に応じたコマンドを前記演出制御手段に送信するための処理を行うコマンド送信手段と、を有し、前記始動手段が操作されると、第一抽選を実行して抽選結果に応じたコマンドを記憶し、所定の条件を満たしているときは第二抽選を実行して抽選結果に応じたコマンドを記憶し、前記コマンド送信手段は記憶されたコマンドを前記演出制御手段に送信するための処理を行い、送信待ちの全てのコマンドに対して前記演出制御手段に送信するための処理が行われると、前記リール制御手段は前記リールの回転を開始可能に構成されていることを特徴とする。
また、本発明に係る遊技機は、リールと、始動手段と、前記始動手段の操作に基づいて前記リールの回転を開始させるリール制御手段と、第一抽選を実行する第一抽選手段と、第二抽選を実行する第二抽選手段と、演出の実行を制御する演出制御手段と、前記第一抽選手段による抽選結果に応じたコマンド及び前記第二抽選手段による抽選結果に応じたコマンドを前記演出制御手段に送信するための処理を行うコマンド送信手段と、を有し、前記始動手段が操作されると、第一抽選を実行して抽選結果に応じたコマンドを記憶し、所定の条件を満たしているときは第二抽選を実行して抽選結果に応じたコマンドを記憶し、前記コマンド送信手段は記憶されたコマンドを前記演出制御手段に送信するための処理を行い、送信待ちのコマンドに対し前記演出制御手段に送信するための処理を行うために定められた特定の時間が経過したか否かを判断し、前記特定の時間が経過したと判断すると、前記リール制御手段は前記リールの回転を開始可能に構成されていることを特徴とする。
また、本発明に係る遊技機の変形例は、乱数値を発生させる乱数発生手段と、前記乱数発生手段から複数個の前記乱数値を取得して記憶する乱数記憶手段と、所定の契機に基づいて、前記乱数記憶手段から乱数値を取得して複数回の抽選を行う抽選手段と、を有し、前記乱数記憶手段は、前記抽選手段による抽選が行われていない期間のうちの少なくとも一部の期間で、前記乱数発生手段から複数個の前記乱数値を取得するように構成することができる。
【手続補正３】
【補正対象書類名】明細書
【補正対象項目名】０００８
【補正方法】変更
【補正の内容】
【０００８】
このような本発明に係る遊技機の変形例において、前記乱数発生手段は、所定の時間間隔で更新されることにより、発生する乱数値の分布が均一化されるように構成され、前記乱数記憶手段は、前記乱数発生手段から一の乱数値を取得してから次の乱数値を取得するまでに、少なくとも所定の時間間隔を有するように構成することができる。
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
リールと、
始動手段と、
前記始動手段の操作に基づいて前記リールの回転を開始させるリール制御手段と、
演出の実行を制御する演出制御手段と、
コマンドを前記演出制御手段に送信するための処理を行うコマンド送信手段と、を有し、
前記始動手段が操作されると、
複数のコマンドを所定の記憶領域に記憶し、
前記コマンド送信手段は記憶されたコマンドを前記演出制御手段に送信するための処理を行い、
送信待ちの全てのコマンドに対して前記演出制御手段に送信するための処理が行われると、前記リール制御手段は前記リールの回転を開始可能に構成されていることを特徴とする遊技機。
【請求項２】
リールと、
始動手段と、
前記始動手段の操作に基づいて前記リールの回転を開始させるリール制御手段と、
演出の実行を制御する演出制御手段と、
コマンドを前記演出制御手段に送信するための処理を行うコマンド送信手段と、を有し、
前記始動手段が操作されると、
複数のコマンドを所定の記憶領域に記憶し、
前記コマンド送信手段は記憶されたコマンドを前記演出制御手段に送信するための処理を行い、
送信待ちのコマンドに対し前記演出制御手段に送信するための処理を行うために定められた特定の時間が経過したか否かを判断し、前記特定の時間が経過したと判断すると、前記リール制御手段は前記リールの回転を開始可能に構成されていることを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、リールと、始動手段と、前記始動手段の操作に基づいて前記リールの回転を開始させるリール制御手段と、演出の実行を制御する演出制御手段と、コマンドを前記演出制御手段に送信するための処理を行うコマンド送信手段と、を有し、前記始動手段が操作されると、複数のコマンドを所定の記憶領域に記憶し、前記コマンド送信手段は記憶されたコマンドを前記演出制御手段に送信するための処理を行い、送信待ちの全てのコマンドに対して前記演出制御手段に送信するための処理が行われると、前記リール制御手段は前記リールの回転を開始可能に構成されていることを特徴とする。
また、本発明に係る遊技機は、リールと、始動手段と、前記始動手段の操作に基づいて前記リールの回転を開始させるリール制御手段と、演出の実行を制御する演出制御手段と、コマンドを前記演出制御手段に送信するための処理を行うコマンド送信手段と、を有し、前記始動手段が操作されると、複数のコマンドを所定の記憶領域に記憶し、前記コマンド送信手段は記憶されたコマンドを前記演出制御手段に送信するための処理を行い、送信待ちのコマンドに対し前記演出制御手段に送信するための処理を行うために定められた特定の時間が経過したか否かを判断し、前記特定の時間が経過したと判断すると、前記リール制御手段は前記リールの回転を開始可能に構成されていることを特徴とする。
また、本発明に係る遊技機の変形例は、所定の時間間隔で更新されることにより、発生する乱数値の分布が均一化される複数の乱数発生手段と、前記複数の乱数発生手段から乱数値を取得して抽選を行う抽選手段と、を有し、前記抽選手段は、所定の契機に基づいて複数回の抽選を行うときは、予め決められた取得順序で前記複数の乱数発生手段から前記乱数値を取得するように構成することができる。
【手続補正３】
【補正対象書類名】明細書
【補正対象項目名】０００８
【補正方法】変更
【補正の内容】
【０００８】
このような本発明に係る遊技機の変形例において、前記抽選手段は、前記複数回の抽選で取得する乱数値の数が前記複数の乱数発生手段から取得することのできる乱数値の数よりも多いときは、前記取得順序の最後の乱数発生手段から前記乱数値を取得してから、次の前記取得手段の最初の乱数発生手段から前記乱数値を取得するまでに、少なくとも所定の時間間隔を有するように構成することができる。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
レーザー光を出射するレーザー光源と前記レーザー光を眼底上で２次元的に走査するためのレーザー光走査手段とを有する照射光学系と、
該照射光学系による眼底へのレーザー光の照射に伴い眼底から取り出される光を受光素子によって受光する受光光学系と、
前記受光素子からの受光信号に基づいて眼底画像を形成する画像生成部と、を備え、
前記受光光学系は、
少なくとも３つの前記受光素子と、
前記眼底から取り出される光の光路を３つに分岐させ、且つ、第１の前記受光素子に第１波長域の光を受光させ、第２の前記受光素子に第１波長域とは異なる第２波長域の光を受光させ、第３の前記受光素子に前記第１波長域および前記第２波長域のいずれとも異なる第３波長域の光を受光させるように受光光学系の光路中に配置された光分離手段と、を備え、
前記第１の受光素子からの受光信号に基づいて第１眼底画像を形成し、前記第２の受光素子からの受光信号に基づいて第２眼底画像を形成し、前記第３の受光素子からの受光信号に基づいて第３眼底画像を形成する画像生成部を備えることを特徴とする走査型レーザー検眼鏡。
【請求項２】
前記レーザー光源は、青色の波長域，緑色の波長域，および赤色の波長域を含むレーザー光を出射し、
前記光分離手段は、前記第１波長域の光として、前記青色の波長域の眼底反射光，前記緑色の波長域の眼底反射光，および前記赤色の波長域の眼底反射光の３色の眼底反射光うちいずれか１つを前記第１の受光素子に受光させると同時に、前記第２波長域の光として、前記３色の眼底反射光うち前記第１の受光素子によって受光されたもの以外の１つを、前記第２の受光素子に受光させると共に、前記第３波長域の光として、前記３色の眼底反射光うち前記第１の受光素子，および前記第２の受光素子に受光されたもの以外の１つを、前記第３の受光素子に受光させるように受光光学系の光路中に配置されていることを特徴とする請求項１記載の走査型レーザー検眼鏡。
【請求項３】
前記レーザー光源は、第１蛍光物質の励起光の波長域，および前記第１蛍光物質とは異なる第２蛍光物質の励起光の波長域を含むレーザー光を出射し、
前記光分離手段は、前記第１蛍光物質から発せられる第１眼底蛍光を、前記第１の受光素子，前記第２の受光素子，および前記第３の受光素子のいずれか１つに受光させると同時に、前記第２蛍光物質から発せられる第２眼底蛍光を、他の２つの前記受光素子の１つに受光させるように受光光学系の光路中に配置されており、
前記画像生成部は、前記第１眼底蛍光に基づく眼底画像である第１眼底蛍光画像と、前記第２眼底蛍光に基づく眼底画像である第２眼底蛍光画像と、を生成することを特徴とする請求項１記載の走査型レーザー検眼鏡。
【請求項４】
前記第１蛍光物質はインドシアニングリーンであり、前記第２蛍光物質はフルオレセインである請求項３記載の走査型レーザー検眼鏡。
【請求項５】
前記レーザー光源は、青色の波長域，緑色の波長域，赤色の波長域，および，赤外域、の４つの波長域の光を、任意の組合せで同時に出射可能であり、
前記受光信号に基づいて形成される前記眼底画像の種類を選択するために、撮影モードを設定する制御手段を有し、
前記制御手段は、カラー撮影モードと蛍光撮影モードとを択一的に設定可能であり、前記カラー撮影モードを設定した場合、前記レーザー光源から、青色の波長域，緑色の波長域，および、赤色の波長域の３色の光を同時に出射させ、前記蛍光撮影モードを設定した場合、前記４つの波長域の光のうち励起光となる１色を、前記赤外域の光と同時に出射させる請求項１から４のいずれかに記載の走査型レーザー検眼鏡。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
少なくとも一つの眼底撮影装置によって撮影された眼底正面画像を取得する眼底画像取得手段を備える眼科用画像処理装置であって、
前記眼底撮影装置は、３つの受光素子と、眼底からの反射光，第１の眼底蛍光，および，第１の眼底蛍光とは波長域が異なる第２の眼底蛍光を、互いに異なる前記受光素子に受光させる光分岐手段と、を備え、前記眼底からの反射光に基づく眼底正面画像、前記第１の眼底蛍光に基づく第１の蛍光眼底画像、および、前記第２の眼底蛍光に基づく第２の蛍光眼底画像を、同時に撮影可能であり、
前記眼底画像取得手段は、異なるタイミングにて撮影された複数の前記眼底正面画像と、各々の前記眼底正面画像と同時に撮影された、前記第１の蛍光眼底画像と前記第２の蛍光眼底画像とをそれぞれ複数取得し、
更に、眼科用画像処理装置は、
異なるタイミングにて撮影された複数の前記眼底正面画像の間における位置ずれを画像処理によって算出し、算出された位置ずれに基づいて、各々の前記眼底正面画像と同時に撮影されたそれぞれ複数の前記第１の蛍光眼底画像，および，前記第２の蛍光眼底画像における位置ずれを検出する検出する位置ずれ検出手段と、
を備える眼科用画像処理装置。
【請求項２】
それぞれ複数の前記第１の蛍光眼底画像，および，前記第２の蛍光眼底画像における位置ずれを、前記位置ずれ検出手段の検出結果に基づいて画像処理によって補正する画像処理手段と、
前記画像処理手段によって前記第２の位置ずれが補正されたそれぞれ複数の前記第１の蛍光眼底画像，および，前記第２の蛍光眼底画像を、表示装置に並べて表示させる表示制御手段と、を備える請求項１記載の眼科用画像処理装置。
【請求項３】
それぞれ複数の前記第１の蛍光眼底画像，および，複数の前記第２の蛍光眼底画像を表示装置に並べて表示させると共に、前記位置ずれ検出手段によって検出された位置ずれに基づいて、各々の前記第１の蛍光眼底画像，および，前記第２の蛍光眼底画像上における同一位置に対してマーカーを表示させる表示制御手段と、を備える請求項１又は２記載の眼科用画像処理装置。
【請求項４】
前記眼底正面画像に対応するデータ量を削減して、データ量が削減された前記眼底正面画像を、前記眼底正面画像と同時に撮影した前記前記第１の蛍光眼底画像，および，前記第２の蛍光眼底画像と共に記憶部へ保存するデータ量削減手段を有する請求項１から３のいずれかに記載の眼科用画像処理装置。
【請求項５】
造影初期、造影中期、および、造影後期の各時相で撮影された、前記第1の蛍光眼底画像および前記第２の蛍光眼底画像を、時系列にそれぞれ並べて表示装置に表示させる請求項１から４のいずれかに記載の眼科用画像処理装置。
【請求項６】
少なくとも一つの眼底撮影装置によって撮影された眼底正面画像を取得する眼底画像取得手段を備える眼科用画像処理装置であって、
前記眼科撮影装置は、第１の撮影条件での光により撮影された第１の眼底正面画像と、第１の撮影条件とは異なる撮影条件での光により撮影された第２の眼底正面画像と、を同時に撮影可能であり、
前記第1の眼底正面画像と前記第２の眼底正面画像との両方は、被検眼へ投与された造影剤による蛍光画像であって、
前記蛍光画像における造影初期、造影中期、および、造影後期の各時相で撮影された、前記前記第1の眼底正面画像と前記第２の眼底正面画像とを、時系列にそれぞれ並べて表示装置に表示させる表示制御手段を備える、眼科用画像処理装置。
【手続補正２】
【補正対象書類名】明細書
【補正対象項目名】発明の名称
【補正方法】変更
【補正の内容】
【発明の名称】眼科用画像処理装置
【手続補正３】
【補正対象書類名】明細書
【補正対象項目名】０００１
【補正方法】変更
【補正の内容】
【０００１】
本開示は、眼底正面画像を処理するための眼科用画像処理装置に関する。
【手続補正４】
【補正対象書類名】明細書
【補正対象項目名】０００６
【補正方法】変更
【補正の内容】
【０００６】
本開示は、従来技術の問題点の少なくとも一つを解決可能な眼科用画像処理装置を提供することを技術課題とする。
【手続補正５】
【補正対象書類名】明細書
【補正対象項目名】０００７
【補正方法】変更
【補正の内容】
【０００７】
上記課題を解決するために、本開示の第１態様にかかる眼科用画像処理装置は、少なくとも一つの眼底撮影装置によって撮影された眼底正面画像を取得する眼底画像取得手段を備える眼科用画像処理装置であって、前記眼底撮影装置は、３つの受光素子と、眼底からの反射光，第１の眼底蛍光，および，第１の眼底蛍光とは波長域が異なる第２の眼底蛍光を、互いに異なる前記受光素子に受光させる光分岐手段と、を備え、前記眼底からの反射光に基づく眼底正面画像、前記第１の眼底蛍光に基づく第１の蛍光眼底画像、および、前記第２の眼底蛍光に基づく第２の蛍光眼底画像を、同時に撮影可能であり、前記眼底画像取得手段は、異なるタイミングにて撮影された複数の前記眼底正面画像と、各々の前記眼底正面画像と同時に撮影された、前記第１の蛍光眼底画像と前記第２の蛍光眼底画像とをそれぞれ複数取得し、更に、眼科用画像処理装置は、異なるタイミングにて撮影された複数の前記眼底正面画像の間における位置ずれを画像処理によって算出し、算出された位置ずれに基づいて、各々の前記眼底正面画像と同時に撮影されたそれぞれ複数の前記第１の蛍光眼底画像，および，前記第２の蛍光眼底画像における位置ずれを検出する検出する位置ずれ検出手段と、を備える。
【手続補正６】
【補正対象書類名】明細書
【補正対象項目名】０００８
【補正方法】変更
【補正の内容】
【０００８】
本開示の第２態様にかかる眼科用画像処理装置は、少なくとも一つの眼底撮影装置によって撮影された眼底正面画像を取得する眼底画像取得手段を備える眼科用画像処理装置であって、前記眼科撮影装置は、第１の撮影条件での光により撮影された第１の眼底正面画像と、第１の撮影条件とは異なる撮影条件での光により撮影された第２の眼底正面画像と、を同時に撮影可能であり、前記第1の眼底正面画像と前記第２の眼底正面画像との両方は、被検眼へ投与された造影剤による蛍光画像であって、前記蛍光画像における造影初期、造影中期、および、造影後期の各時相で撮影された、前記前記第1の眼底正面画像と前記第２の眼底正面画像とを、時系列にそれぞれ並べて表示装置に表示させる表示制御手段を備える。
【手続補正書】
【提出日】平成29年8月23日(2017.8.23)
【手続補正１】
【補正対象書類名】特許請求の範囲
【補正対象項目名】請求項５
【補正方法】変更
【補正の内容】
【請求項５】
前記支持穴の上部は、内周壁の内径が上端に向かって徐々に大きくなるテーパ状に設けられ、
外周には前記内周壁に内嵌される外周壁部が形成され、軸心には前記傘の中棒が貫通される貫通穴が形成され、前記外周壁部と前記貫通穴との間を所定の溝幅で半径方向に連通させる切欠き溝部が形成された弾性体からなる支持蓋部材をさらに備える請求項１乃至４のいずれか１項に記載のペット用繋留具。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
把持部が設けられた本体と、
前記本体に紐部材を介して連結された玉と、
を備え、
前記本体は、前記玉を受ける少なくとも一つの皿部を有し、
前記皿部は、前記玉を載置可能な受皿部材を有し、
前記本体に着脱可能に装着される錘部材を備える剣玉玩具。
【請求項２】
請求項１記載の剣玉玩具であって、
前記受皿部材は、前記本体に対して着脱可能に固定される剣玉玩具。
【請求項３】
請求項１又は請求項２記載の剣玉玩具であって、
前記玉に設けられた収容孔に収容可能な剣先部材を有し、
前記剣先部材は、前記受皿部材に対して着脱可能である剣玉玩具。
【請求項４】
請求項１乃至請求項３のいずれか一項記載の剣玉玩具であって、
互いに重さが異なる複数の前記錘部材を備える剣玉玩具。
【請求項５】
請求項３又は４記載の剣玉玩具であって、
前記錘部材は、前記剣先部材である剣玉玩具。
【請求項６】
請求項３乃至請求項５のいずれか一項記載の剣玉玩具であって、
前記剣先部材の先端部を挿通可能な挿通孔が前記受皿部材に設けられており、
前記受皿部材は、前記本体に着脱可能に固定され、先端部が前記挿通孔に挿通された前
記剣先部材の基端部を前記本体との間に挟み込んで前記剣先部材を前記皿部に固定する剣
玉玩具。
【請求項７】
請求項６記載の剣玉玩具であって、
前記受皿部材及び前記本体は、前記受皿部材の中心軸まわりの前記受皿部材及び前記本
体の相対回転に伴って互いに係合し、前記受皿部材を前記本体に保持する係合部をそれぞ
れ有し、
前記受皿部材及び前記本体の各々の係合部には、該係合部同士が係合した状態で、前記
受皿部材及び前記本体の相対回転を阻止するロック部がそれぞれ設けられている剣玉玩具
。
【請求項８】
請求項１乃至請求項７のいずれか一項記載の剣玉玩具に用いられる前記錘部材。
【手続補正２】
【補正対象書類名】明細書
【補正対象項目名】０００７
【補正方法】変更
【補正の内容】
【０００７】
本発明に係る剣玉玩具は、把持部が設けられた本体と、前記本体に紐部材を介して連結された玉と、を備え、前記本体は、前記玉を受ける少なくとも一つの皿部を有し、前記皿部は、前記玉を載置可能な受皿部材と、前記玉に設けられた収容孔に収容可能な剣先部材と、を有し、前記剣先部材は、前記受皿部材に対して着脱可能である。また、本発明に係る剣玉玩具は、把持部が設けられた本体と、前記本体に紐部材を介して連結された玉と、を備え、前記本体は、前記玉を受ける少なくとも一つの皿部を有し、前記皿部は、前記玉を載置可能な受皿部材を有し、前記本体に着脱可能に装着される錘部材を備える。
【手続補正３】
【補正対象書類名】明細書
【補正対象項目名】０００８
【補正方法】変更
【補正の内容】
【０００８】
また、本発明に係る剣玉玩具においては、前記受皿部材は、前記本体に対して着脱可能に固定されるようにしてもよい。また、本発明に係る剣玉玩具においては、前記受皿部材に着脱可能に装着される錘部材を備えるようにしてもよい。また、本発明に係る剣玉玩具においては、前記玉に設けられた収容孔に収容可能な剣先部材を有し、前記剣先部材は、前記受皿部材に対して着脱可能であってもよい。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
被検眼の前眼部の正面画像を観察するための正面観察光学系と、
前記正面観察光学系の光軸を通る光切断面が前眼部に形成されるように被検眼の前眼部に向けてスリット光を投光する投光光学系と、前記光切断面の前眼部での散乱により取得される前眼部散乱光を受光する撮像素子を有する受光光学系と、を備え、被検眼前眼部の断面画像を撮像するための断面撮像光学系と、
被検眼隅角に前記光切断面が形成されるように被検眼隅角に対する前記光軸の相対位置を調整し、被検眼隅角の断面画像の静止画を前記断面撮像光学系により取得する隅角撮影手段と、
を備えることを特徴とする眼科装置。
【請求項２】
被検眼の眼圧を測定するための眼圧測定部と、
前記眼圧測定部によって測定された眼圧値と、前記隅角撮影手段によって撮影された被検眼隅角の断面画像の静止画とを表示部に表示する表示制御手段である第１の表示制御手段と、
を備えることを特徴とする請求項１記載の眼科装置。
【請求項３】
前記隅角撮影手段により隅角を撮影するための隅角撮影モードと、前記角膜撮影手段により角膜を撮影するための角膜撮影モードと、に設定可能なモード設定手段と、
前記モード設定手段によって設定された撮影モードに応じて制御を変更する制御手段と、を備え、
前記制御手段は、
前記正面観察光学系および前記断面撮像光学系の撮影制御を行う制御手段であって、前記モード設定手段によって設定されたモードに応じて前記撮影制御を変更する制御手段、または
前記正面観察光学系および前記断面撮像光学系を備える検眼部の被検眼に対するアライメント制御を行うアライメント手段であって、前記モード設定手段によって設定されたモードに応じて前記アライメント制御を変更する制御手段、または
前記前眼部正面画像及び前記前眼部断面画像を表示する表示部を制御する制御手段であって、前記モード設定手段によって設定されたモードに応じて前記表示制御を変更する制御手段、または
前記前眼部断面画像を解析処理することによって前眼部に関する測定パラメータを得る制御手段であって、前記モード設定手段によって設定されたモードに応じて解析処理を変更する制御手段
前記前眼部断面画像を記憶部に記憶する制御手段であって、前記モード設定手段によって設定されたモードに対応する撮影部位情報を、前記前眼部断面画像に対応付けて記憶する制御手段
の少なくともいずれかであることを特徴とする請求項１又は２記載の眼科装置。
【請求項４】
前記受光光学系は、前記投光光学系の投光光軸に対して傾斜して配置され、シャインプルークの関係に基づく光学配置を備えることを特徴とする請求項１〜３のいずれかの眼科装置。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行なう遊技機に併設され、貸出操作を受け付けて前記遊技媒体の貸出を行なう遊技媒体貸出処理部を有する各台装置であって、
前記遊技媒体の貸出に関する情報を表示する表示部と、
少なくとも、前記遊技媒体貸出処理部により貸し出される遊技媒体の貸出単価に関する第１の表示情報、又は、前記遊技媒体貸出処理部により貸し出される遊技媒体の貸出単価に関する第２の表示情報のいずれかを前記表示部に表示可能とする表示制御部と
を備えたことを特徴とする各台装置。
【請求項２】
前記表示制御部は、前記貸出単価が所定の条件を満たすか否かを判定し、当該判定結果に基づいて、前記第１の表示情報を表示可能に制御することを特徴とする請求項１に記載の各台装置。
【請求項３】
前記表示制御部は、前記貸出単価が前記表示部に表示可能な桁数であるか否かを前記所定の条件として判定することを特徴とする請求項２に記載の各台装置。
【請求項４】
前記表示制御部は、前記貸出単価が前記所定の条件を満たさない場合に、前記第２の表示情報を前記表示部に表示させることを特徴とする請求項２又は３に記載の各台装置。
【請求項５】
前記貸出単価の前記判定結果に基づく表示制御に関し、前記遊技媒体の貸出に関する情報を前記表示部に表示する際の表示態様を他の各台装置と共有する表示態様共有部をさらに備えたことを特徴とする請求項２〜４のいずれか一つに記載の各台装置。
【請求項６】
前記表示制御部は、前記貸出単価が前記所定の条件を満たさない場合に、前記貸出単価を前記表示部に表示させる設定を禁止することを特徴とする請求項２〜５のいずれか一つに記載の各台装置。
【請求項７】
前記第２の表示情報は、前記遊技媒体貸出処理部により貸し出される遊技媒体の数と、当該貸し出し時に使用される有価価値とを対応付けた情報であることを特徴とする請求項１〜６のいずれか一つに記載の各台装置。
【請求項８】
前記表示制御部は、前記貸出単価に対応する単価指標を前記表示部に表示制御することを特徴とする請求項１〜７のいずれか一つに記載の各台装置。
【請求項９】
前記表示制御部は、所定の有価価値で貸出が可能な遊技媒体の数を貸出可能数として前記表示部に表示制御することを特徴とする請求項１〜８のいずれか一つに記載の各台装置。
【請求項１０】
前記表示制御部は、前記有価価値が対応付けられた記憶媒体を受け付けていない場合には、予め指定された有価価値に対応する貸出可能数を表示制御し、前記記憶媒体を受け付けている場合には、当該記憶媒体に対応付けられた有価価値の残高に対応する貸出可能数を表示制御することを特徴とする請求項９に記載の各台装置。
【請求項１１】
遊技媒体を用いて遊技を行なう遊技機に併設され、貸出操作を受け付けて前記遊技媒体の貸出を行なう遊技媒体貸出処理部を有する各台装置の表示制御方法であって、
前記遊技媒体貸出処理部により貸し出される遊技媒体の貸出単価が所定の条件を満たすか否かを判定する判定ステップと、
前記判定ステップの判定結果に基づいて、前記貸出単価に関する情報の表示部への表示を制御する表示制御ステップと
を含んだことを特徴とする表示制御方法。
【手続補正２】
【補正対象書類名】明細書
【補正対象項目名】００１０
【補正方法】変更
【補正の内容】
【００１０】
上述した課題を解決し、目的を達成するため、本発明は、遊技媒体を用いて遊技を行なう遊技機に併設され、貸出操作を受け付けて前記遊技媒体の貸出を行なう遊技媒体貸出処理部を有する各台装置であって、前記遊技媒体の貸出に関する情報を表示する表示部と、少なくとも、前記遊技媒体貸出処理部により貸し出される遊技媒体の貸出単価に関する第１の表示情報、又は、前記遊技媒体貸出処理部により貸し出される遊技媒体の貸出単価に関する第２の表示情報のいずれかを前記表示部に表示可能とする表示制御部とを備えたことを特徴とする。
また、本発明は、上記発明において、前記表示制御部は、前記貸出単価が所定の条件を満たすか否かを判定し、当該判定結果に基づいて、前記第１の表示情報を表示可能に制御することを特徴とする。
【手続補正３】
【補正対象書類名】明細書
【補正対象項目名】００１２
【補正方法】変更
【補正の内容】
【００１２】
また、本発明は、上記発明において、前記表示制御部は、前記貸出単価が前記所定の条件を満たさない場合に、前記第２の表示情報を前記表示部に表示させることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、本発明は、上記発明において、前記貸出単価の前記判定結果に基づく表示制御に関し、前記遊技媒体の貸出に関する情報を前記表示部に表示する際の表示態様を他の各台装置と共有する表示態様共有部をさらに備えたことを特徴とする。
【手続補正６】
【補正対象書類名】明細書
【補正対象項目名】００１５
【補正方法】変更
【補正の内容】
【００１５】
また、本発明は、上記発明において、前記表示制御部は、前記貸出単価が前記所定の条件を満たさない場合に、前記貸出単価を前記表示部に表示させる設定を禁止することを特徴とする。
また、本発明は、上記発明において、前記第２の表示情報は、前記遊技媒体貸出処理部により貸し出される遊技媒体の数と、当該貸し出し時に使用される有価価値とを対応付けた情報であることを特徴とする。
【手続補正７】
【補正対象書類名】明細書
【補正対象項目名】００１８
【補正方法】変更
【補正の内容】
【００１８】
また、本発明は、上記発明において、前記表示制御部は、前記有価価値が対応付けられた記憶媒体を受け付けていない場合には、予め指定された有価価値に対応する貸出可能数を表示制御し、前記記憶媒体を受け付けている場合には、当該記憶媒体に対応付けられた有価価値の残高に対応する貸出可能数を表示制御することを特徴とする。
【手続補正８】
【補正対象書類名】明細書
【補正対象項目名】００１９
【補正方法】変更
【補正の内容】
【００１９】
また、本発明は、遊技媒体を用いて遊技を行なう遊技機に併設され、貸出操作を受け付けて前記遊技媒体の貸出を行なう遊技媒体貸出処理部を有する各台装置の表示制御方法であって、前記遊技媒体貸出処理部により貸し出される遊技媒体の貸出単価が所定の条件を満たすか否かを判定する判定ステップと、前記判定ステップの判定結果に基づいて、前記貸出単価に関する情報の表示部への表示を制御する表示制御ステップとを含んだことを特徴とする。
【手続補正９】
【補正対象書類名】明細書
【補正対象項目名】００２０
【補正方法】変更
【補正の内容】
【００２０】
本発明によれば、遊技媒体のレートを正確に遊技客に報知することができる。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
遊技球が入球し難い閉状態と、遊技球が入球し易い開状態との間で変移し得る開閉部材を有する可変入賞装置を備え、
前記可変入賞装置が、前記開閉部材とは別に、遊技球を入球させるように案内し難い非案内状態と、遊技球を入球させるように案内し易い案内状態との間で変移し得る案内部材を有することを特徴とする遊技機。
【請求項２】
前記可変入賞装置を取付位置に取り付けるための取付基板を備え、
前記案内部材が、少なくとも一部が前記取付基板よりも外側へはみ出すようにして案内状態に変移し得ることを特徴とする請求項１に記載の遊技機。
【請求項３】
前記開閉部材が、前後方向に移動するようにして閉状態と開状態との間で変移し得る部材であり、
前記案内部材が、前記開閉部材の左右両側のうちの少なくとも一方側に配置されていることを特徴とする請求項１または請求項２に記載の遊技機。
【請求項４】
前記案内部材が、前記開閉部材と連動して変移し得ることを特徴とする請求項１から請求項３のいずれか１項に記載の遊技機。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
遊技球が入球し難い閉状態と、遊技球が入球し易い開状態との間で変移し得る開閉部材を有する可変入賞装置を備え、
前記可変入賞装置が、前記開閉部材とは別に、遊技球を入球させるように案内し難い非案内状態と、遊技球を入球させるように案内し易い案内状態との間で変移し得る案内部材を有し、
前記案内部材が、前記開閉部材を閉状態から動き難いように規制し得る規制手段を有することを特徴とする遊技機。
【請求項２】
前記開閉部材が、閉状態から前方へ移動するようにして開状態へ変移し得る部材であり、
前記案内部材が、前記規制手段として、非案内状態にあるときには、閉状態にある前記開閉部材の前側に位置して該前記開閉部材の前方への移動を規制し得る一方、案内状態へ変移するとともに、前記開閉部材の移動範囲外に出て規制を解除し得る規制面を有することを特徴とする請求項１に記載の遊技機。
【請求項３】
前記案内部材が、非案内状態にあるときに前記開閉部材のほうへ向けて膨出するとともに、案内状態にあるときに前記開閉部材のほうへ下傾して遊技球を前記開閉部材のほうへ案内し易い案内斜面を構成し得る形状の膨出部を有し、前記膨出部の少なくとも一部が前記規制面となっていることを特徴とする請求項２に記載の遊技機。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
複数種類の役の当否を決定する内部抽選を行う内部抽選手段と、
前記内部抽選の結果に基づく抽選契機条件が成立した場合に、通常の状態より遊技者に有利な特定有利状態を発生させるか否かの特定有利状態抽選を行う特定有利状態抽選手段と、
前記特定有利状態抽選で当選した場合に前記特定有利状態を開始させる特定有利状態制御手段と、
前記特定有利状態抽選が実行される機会が前記通常の状態よりも増加されている有利期間の開始と終了を制御する有利期間制御手段とを備える遊技機であって、
前記有利期間中の前記抽選契機条件の成立回数をカウントする条件成立カウント手段を備え、
前記有利期間制御手段は、前記有利期間中に前記特定有利状態抽選に当選しなかった場合に、前記条件成立カウント手段にカウントされた前記抽選契機条件の成立回数に応じて、次回の前記有利期間を遊技者に対して今回の前記有利期間より有利にすることを特徴とする遊技機。
【請求項２】
複数種類の役の当否を決定する内部抽選を行う内部抽選手段と、
前記内部抽選の結果に基づく抽選契機条件が成立した場合に、通常の状態より遊技者に有利な特定有利状態を発生させるか否かの特定有利状態抽選を行う特定有利状態抽選手段と、
前記特定有利状態抽選で当選した場合に前記特定有利状態を開始させる特定有利状態制御手段と、
前記特定有利状態抽選が実行される機会が前記通常の状態よりも増加されている有利期間の開始と終了を制御する有利期間制御手段とを備える遊技機であって、
前記有利期間中の前記抽選契機条件に係る前記内部抽選の結果としての所定役の当選の回数を所定期間カウントする当選回数カウント手段を備え、
前記有利期間制御手段は、前記当選回数カウント手段にカウントされた前記所定役の当選回数に応じて、開始する前記有利期間の遊技者に対する有利さの程度を決めることを特徴とする遊技機。
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
使用者が見ようとする対象を撮像する撮像部と、前記撮像部により得られた画像を前記使用者の視覚障害に合わせて補正する画像処理部と、前記画像処理部の画像を前記使用者が見えるよう表示する表示部と、前記表示部外の前記使用者が見ようとする対象を直接見るための光透過部と、前記光透過部を前記画像処理部の画像処理に対応して制御する制御部とを有することを特徴とする視覚補助システム。
【請求項２】
前記制御部は、前記表示部の明るさに応じて前記光透過部を制御することを特徴とする請求項１記載の視覚補助システム。
【請求項３】
前記制御部は、前記表示部の明るさに応じた前記光透過部の制御と前記表示部の明るさにかかわらない前記光透過部の制御が可能であることを特徴とする請求項２記載の視覚補助システム。
【請求項４】
前記制御部は、前記表示部を白黒反転させる場合に前記光透過部を遮光することを特徴とする請求項１から３のいずれかに記載の視覚補助システム。
【請求項５】
前記撮像部の光軸と前記表示部の光軸が一致していることを特徴とする請求項１から４のいずれかに記載の視覚補助システム。
【請求項６】
前記撮像部の光軸と前記表示部の光軸をずらせる光軸制御部を有することを特徴とする請求項１から５のいずれかに記載の視覚補助システム。
【請求項７】
前記撮像部と前記表示部は両目用にそれぞれ一対設けられるとともに、前記一対の撮像部および前記一対の表示部は前記光透過部における両目の視野外側を遮らないよう配置されることを特徴とする請求項１から６のいずれかに記載の視覚補助システム。
【請求項８】
前記一対の撮像部はそれぞれ両目の内側に向けて屈曲していることを特徴とする請求項７記載の視覚補助システム。
【請求項９】
前記一対の撮像部は前記光透過部よりも前方に突出しないことを特徴とする請求項７または８記載の視覚補助システム。
【請求項１０】
前記画像処理部における補正のプリセット情報を記憶する記憶部を有することを特徴とする請求項１から９のいずれかに記載の視覚補助システム。
【請求項１１】
前記プリセット情報は複数の最適判断値を平均することにより確定されることを特徴とする請求項１０記載の視覚補助システム。
【請求項１２】
前記プリセット情報は両目用別々に記憶されることを特徴とする請求項１０または１１記載の視覚補助システム。
【請求項１３】
前記画像処理部は前記表示部に画像を拡大表示することが可能であるとともに、所定以上の拡大が行われたときには表示画像の動きに遅延をかけることを特徴とする請求項１から１２のずれかに記載の視覚補助システム。
【請求項１４】
前記画像処理部は、瞳孔反応への補正を行うことを特徴とする請求項１から１３のいずれかに記載の視覚補助システム。
【請求項１５】
前記光透過部を制御する制御部は、瞳孔反応への補正を行うことを特徴とする請求項１から１４のいずれかに記載の視覚補助システム。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
多関節のロボットアームと、
前記ロボットアームの先端に取り付けられたロボットハンドと、
前記ロボットアームから前記ロボットハンドに延びる先端軸に対して交差する第１方向の第１検出力及び前記先端軸の延びる第２方向の第２検出力を検出する力検出器と、
前記ロボットアームの軌道データに基づき、前記ロボットハンドに把持された把持物と対象物との嵌合作業を行うよう、前記ロボットアームの動作を制御する制御部と、を備え、
前記制御部は、
前記嵌合作業中、第１カットオフ周波数の第１ローパスフィルタにて、前記第１検出力に対してフィルタ処理を行う第１検出力補正処理と、
前記嵌合作業中、前記第１検出力が小さくなるように前記ロボットハンドを前記第１方向に移動させて、前記ロボットアームの軌道を補正する第１力制御処理と、
前記嵌合作業中、前記第１カットオフ周波数よりも周波数の高い第２カットオフ周波数の第２ローパスフィルタにて、前記第２検出力に対してフィルタ処理を行う第２検出力補正処理と、
前記嵌合作業中、前記第２検出力が閾値を上回ったときに前記ロボットハンドの前記第２方向の移動を停止させる第２力制御処理と、を実行することを特徴とするロボット装置。
【請求項２】
前記把持物及び前記対象物のうち、一方が嵌合物であり、他方が、前記嵌合物が嵌合する穴を有する被嵌合物であり、
前記制御部は、前記嵌合作業として、前記嵌合物を前記被嵌合物の穴に嵌合させる作業を行うことを特徴とする請求項１に記載のロボット装置。
【請求項３】
前記嵌合物は、円柱状の円柱部と、前記円柱部の先端部と後端部との間の中間部における外周面に突設された突起部と、を有しており、
前記穴は、前記円柱部が嵌合する円柱状の円柱穴と、前記円柱穴に繋がり、前記突起部が嵌合する溝と、を有しており、
前記制御部は、前記嵌合作業として、前記円柱部を前記円柱穴に嵌合させ、かつ前記突起部を前記溝に嵌合させる作業中、前記円柱部の先端部を前記円柱穴に嵌合させて前記第２力制御処理にて前記把持物の前記第２方向の移動を停止させたとき、前記第２検出力が前記閾値を下回るまで、前記把持物を、前記先端軸を中心に回転させることを特徴とする請求項２に記載のロボット装置。
【請求項４】
多関節のロボットアームの先端に、力検出器を介してロボットハンドが取り付けられており、前記力検出器が、前記ロボットアームから前記ロボットハンドに延びる先端軸に対して交差する第１方向の第１検出力、及び前記先端軸の延びる第２方向の第２検出力を検出するよう構成されており、制御部が、前記ロボットアームの軌道データに基づき、前記ロボットハンドに把持された把持物と対象物との嵌合作業を行うよう前記ロボットアームの動作を制御するロボット制御方法であって、
前記制御部が、前記嵌合作業中、第１カットオフ周波数の第１ローパスフィルタにて、前記第１検出力に対してフィルタ処理を行う第１検出力補正工程と、
前記制御部が、前記嵌合作業中、前記第１検出力が小さくなるように前記ロボットハンドを前記第１方向に移動させて、前記ロボットアームの軌道を補正する第１力制御工程と、
前記制御部が、前記嵌合作業中、前記第１カットオフ周波数よりも周波数の高い第２カットオフ周波数の第２ローパスフィルタにて、前記第２検出力に対してフィルタ処理を行う第２検出力補正工程と、
前記制御部が、前記嵌合作業中、前記第２検出力が閾値を上回ったときに前記ロボットハンドの前記第２方向の移動を停止させる第２力制御工程と、を備えたことを特徴とするロボット制御方法。
【請求項５】
コンピュータに、請求項４に記載のロボット制御方法の各工程を実行させるためのプログラム。
【請求項６】
請求項５に記載のプログラムを記録したコンピュータ読み取り可能な記録媒体。
【手続補正２】
【補正対象書類名】明細書
【補正対象項目名】００１０
【補正方法】変更
【補正の内容】
【００１０】
本発明のロボット装置は、多関節のロボットアームと、前記ロボットアームの先端に取り付けられたロボットハンドと、前記ロボットアームから前記ロボットハンドに延びる先端軸に対して交差する第１方向の第１検出力及び前記先端軸の延びる第２方向の第２検出力を検出する力検出器と、前記ロボットアームの軌道データに基づき、前記ロボットハンドに把持された把持物と対象物との嵌合作業を行うよう、前記ロボットアームの動作を制御する制御部と、を備え、前記制御部は、前記嵌合作業中、第１カットオフ周波数の第１ローパスフィルタにて、前記第１検出力に対してフィルタ処理を行う第１検出力補正処理と、前記嵌合作業中、前記第１検出力が小さくなるように前記ロボットハンドを前記第１方向に移動させて、前記ロボットアームの軌道を補正する第１力制御処理と、前記嵌合作業中、前記第１カットオフ周波数よりも周波数の高い第２カットオフ周波数の第２ローパスフィルタにて、前記第２検出力に対してフィルタ処理を行う第２検出力補正処理と、前記嵌合作業中、前記第２検出力が閾値を上回ったときに前記ロボットハンドの前記第２方向の移動を停止させる第２力制御処理と、を実行することを特徴とする。
【手続補正書】
【提出日】平成29年9月12日(2017.9.12)
【手続補正１】
【補正対象書類名】特許請求の範囲
【補正対象項目名】請求項２
【補正方法】変更
【補正の内容】
【請求項２】
前記半田排出部は前記ガイド管の全部又は一部を前記ガイド管の軸方向に対して斜めに切断したことを特徴とする請求項１に記載の半田鏝。 
【手続補正２】
【補正対象書類名】特許請求の範囲
【補正対象項目名】請求項３
【補正方法】変更
【補正の内容】
【請求項３】
前記半田排出部は前記ガイド管の一部を前記ガイド管の軸方向に対してほぼ直角に切断したことを特徴とする請求項１に記載の半田鏝。
【手続補正３】
【補正対象書類名】明細書
【補正対象項目名】０００７
【補正方法】変更
【補正の内容】
【０００７】
本発明に係る半田鏝は、半田材を供給するガイド管を内部に有する鏝先と、ガイド管に熱を供給する加熱手段とを備え、ガイド管は上部に設けられた半田供給部と下部の少なくとも側面の一部に設けられた半田排出部とからなり、半田排出部より溶融半田を供給し、水平方向に設置された端子に対して垂直方向に半田供給し半田付けを行う。
【手続補正４】
【補正対象書類名】明細書
【補正対象項目名】０００８
【補正方法】変更
【補正の内容】
【０００８】
また、上記構成としてより具体的には、半田排出部はガイド管の全部又は一部をガイド管の軸方向に対して斜めに切断し、側面と下面から半田を排出するものである。
また半田排出部はガイド管の一部を直角に切断し、垂直な側面に半田を供給するものである。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
ゲームを実行する情報処理装置に、
ゲーム画面における第１領域に、ユーザが選択可能な複数の項目を表示させる第１表示ステップと、
前記複数の項目のうち特定の項目を抽出する抽出ステップと、
前記ゲーム画面において、前記抽出された特定の項目を、表示部に表示される画面の範囲において同一の位置に表示される第２領域に、選択可能に表示させる第２表示ステップと、
を実行させるプログラム。
【請求項２】
前記第２領域は、前記ゲーム画面に表示される情報に重畳することなく情報を表示する、請求項１に記載のプログラム。
【請求項３】
前記特定の項目は、前記複数の項目のうち前記ゲームのプレイヤが最後に選択した項目である、請求項１または請求項２に記載のプログラム。
【請求項４】
前記特定の項目は、前記ゲームの進行状況に応じて実行可能と判定された項目である、請求項１または請求項２に記載のプログラム。
【請求項５】
前記特定の項目は、予め決定されている項目である、請求項１または請求項２に記載のプログラム。
【請求項６】
前記特定の項目は、前記複数の項目のそれぞれが選択された回数に基づいて抽出される、請求項１または請求項２に記載のプログラム。
【請求項７】
前記ゲームは、複数のマスを有するフィールド上に配置されたゲーム媒体を用いて進行されるゲームであって、
前記複数のマスのそれぞれは、属性を有し、
前記特定の項目は、前記ゲーム媒体が配置されたマスの前記属性に基づいて抽出される、請求項１または請求項２に記載のプログラム。
【請求項８】
前記第２領域は、前記ゲームの進行に関する情報を表示する領域と、前記第１領域との間に表示される、請求項１乃至請求項７のいずれか一項に記載のプログラム。
【請求項９】
ゲームの実行を制御する制御方法であって、
ゲーム画面における第１領域に、ユーザが選択可能な複数の項目を表示させる第１表示ステップと、
前記複数の項目のうち特定の項目を抽出する抽出ステップと、
前記ゲーム画面において、前記抽出された特定の項目を、表示部に表示される画面の範囲において同一の位置に表示される第２領域に、選択可能に表示させる第２表示ステップと、
を実現させる制御方法。
【請求項１０】
ゲームを実行する情報処理装置であって、
前記ゲームの進行に関する複数の項目のうち特定の項目を抽出する抽出部と、
ゲーム画面において、第１領域に前記複数の項目を表示させるとともに、表示部に表示される画面の範囲において同一の位置に表示される第２領域に、前記特定の項目を選択可能に表示させる画面生成部と、
を備える情報処理装置。
【手続補正２】
【補正対象書類名】明細書
【補正対象項目名】発明の名称
【補正方法】変更
【補正の内容】
【発明の名称】プログラム、制御方法及び情報処理装置
【手続補正３】
【補正対象書類名】明細書
【補正対象項目名】０００１
【補正方法】変更
【補正の内容】
【０００１】
本発明は、プログラム、制御方法及び情報処理装置に関する。
【手続補正４】
【補正対象書類名】明細書
【補正対象項目名】０００５
【補正方法】変更
【補正の内容】
【０００５】
かかる事情に鑑みてなされた本発明の目的は、操作の煩雑さを低減するプログラム、制御方法及び情報処理装置を提供することにある。
【手続補正５】
【補正対象書類名】明細書
【補正対象項目名】０００６
【補正方法】変更
【補正の内容】
【０００６】
上記課題を解決するための本発明のプログラムは、
ゲームを実行する情報処理装置に、
ゲーム画面における第１領域に、ユーザが選択可能な複数の項目を表示させる第１表示ステップと、
前記複数の項目のうち特定の項目を抽出する抽出ステップと、
前記ゲーム画面において、前記抽出された特定の項目を、表示部に表示される画面の範囲において同一の位置に表示される第２領域に、選択可能に表示させる第２表示ステップと、
を実行させる。
【手続補正６】
【補正対象書類名】明細書
【補正対象項目名】０００７
【補正方法】変更
【補正の内容】
【０００７】
本発明に係るプログラム、制御方法及び情報処理装置によれば、操作の煩雑さを低減できる。
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
油脂類と炭素数１〜８の飽和の直鎖または分岐鎖の炭化水素骨格を有するアルコール類とのエステル交換反応による脂肪酸エステルの製造方法において触媒として使用した陰イオン交換体の再生処理法であって、以下の工程：
工程（１）：前記アルコールを該陰イオン交換体に供給する工程；
工程（２）：酢酸の前記アルコール溶液を該陰イオン交換体に供給する工程；
工程（３）：水酸化ナトリウムと水を含む溶液を該陰イオン交換体に供給する工程；
工程（５）：前記アルコールを該陰イオン交換樹脂に供給する工程；及び
工程（６）：工程（１）の前半部分において排出された未反応油脂を含む液を該陰イオン交換体に再度供給する工程、
を含む、前記方法。
【請求項２】
請求項１に記載の方法を実施するための陰イオン交換体の再生処理システムであって、油脂原料に含まれる遊離脂肪酸をエステル化するための陽イオン交換樹脂が充填された反応器、及び、その下流に連結された、油脂に含まれるトリグリセリドのエステル交換反応及び／又は吸着に用いる陰イオン交換樹脂が充填され直列に連結された少なくとも２塔の反応器、及び、再生処理される陰イオン交換樹脂が充填された反応器を含む、前記システム。